(57)【要約】      （修正有）【課題】配信サーバの処理負荷を抑えながら、ユーザの位置情報や嗜好に応じて、タイムリーなコンテンツ等を配信する。【解決手段】コンテンツ配信システム１は、コンテンツ配信サーバ２と、携帯端末３と、店舗用端末６が、インターネット等のネットワーク４を介して接続している。店舗用端末６は、ネットワーク４に接続し、店舗側が情報発信したいコンテンツと配信エリア情報などのタグ情報４１を、コンテンツ配信サーバ２に送信する。携帯端末３は、ネットワーク４に接続し、ユーザの位置情報５２をコンテンツ配信サーバ２へリアルタイムに送信する。コンテンツ配信サーバ２は、配信エリア情報と位置情報５２が一致した場合に、店舗側が配信したコンテンツとタグ情報４１を携帯端末３に送信する。携帯端末３は、コンテンツに紐づけられたタグ情報４１とユーザ情報を適合させて、タグ情報４１とユーザ情報が一致する場合はコンテンツを表示する。【選択図】図１
2014067115.tif 000002
【特許請求の範囲】
【請求項１】
コンテンツ配信サーバと、携帯端末とが、ネットワークを介して接続されたコンテンツ配信システムであって、
前記コンテンツ配信サーバは、
コンテンツを配信したいエリア情報と、当該コンテンツを表示するか否かに関するタグ情報と、前記コンテンツと、を対応させて記憶する記憶手段と、
前記携帯端末から送信された位置情報を受信する受信手段と、
前記携帯端末から受信した前記位置情報が、記憶している前記エリア情報に含まれるか否かを判断する判断手段と、
前記エリア情報に含まれる場合には、前記エリア情報に対応する前記タグ情報及び前記コンテンツを、前記携帯端末へ配信する配信手段と、
を備え、
前記携帯端末は、
前記コンテンツを配信する配信側から求められたユーザ情報を記憶する記憶手段と、
前記位置情報を前記コンテンツ配信サーバへ送信するとともに、前記タグ情報及び前記コンテンツを前記コンテンツ配信サーバから受信する送受信手段と、
受信した前記タグ情報が、記憶している前記ユーザ情報と適合するか否かを判断する判断手段と、
適合した場合には、受信した前記コンテンツを表示する表示手段と、
を備えることを特徴とするコンテンツ配信システム。
【請求項２】
前記コンテンツ配信サーバに記憶する前記タグ情報は、少なくとも、
客層と、嗜好と、表示期限と、を含み、
前記携帯端末に記憶する前記ユーザ情報は、少なくとも、
ユーザの属性と、嗜好と、を含むことを特徴とする請求項１に記載のコンテンツ配信システム。
【請求項３】
前記携帯端末は、前記コンテンツの配信を希望する前記エリア情報を、前記コンテンツ配信サーバへ送信し、
前記コンテンツ配信サーバの記憶手段は、さらに、受信した配信希望する前記エリア情報を記憶することを特徴とする請求項１または請求項２に記載のコンテンツ配信システム。
【請求項４】
前記コンテンツ配信システムは、
さらに、前記ネットワークを介して接続された店舗用端末を備え、
前記店舗用端末は、
前記エリア情報と、前記タグ情報と、前記コンテンツと、を前記コンテンツ配信サーバへ送信することを特徴とする請求項１乃至請求項３のいずれかに記載のコンテンツ配信システム。
【請求項５】
前記コンテンツは、店舗の広告情報であることを特徴とする請求項１乃至請求項４のいずれかに記載のコンテンツ配信システム。
【請求項６】
コンテンツ配信サーバと、携帯端末とが、ネットワークを介して接続されたコンテンツ配信方法であって、
前記コンテンツ配信サーバは、
コンテンツを配信したいエリア情報と、当該コンテンツを表示するか否かに関するタグ情報と、前記コンテンツと、を対応させて記憶する記憶ステップと、
前記携帯端末から送信された前記位置情報を受信する受信ステップと、
前記携帯端末から受信した前記位置情報が、記憶している前記エリア情報に含まれるか否かを判断する判断ステップと、
前記エリア情報に含まれる場合には、前記エリア情報に対応する前記タグ情報及び前記コンテンツを、前記携帯端末へ配信する配信ステップと、
を含み、
前記携帯端末は、
前記コンテンツを配信する配信側から求められたユーザ情報を記憶する記憶ステップと、
前記位置情報を前記コンテンツ配信サーバへ送信するとともに、前記タグ情報及び前記コンテンツを前記コンテンツ配信サーバから受信する送受信ステップと、
受信した前記タグ情報が、記憶している前記ユーザ情報と適合するか否かを判断する判断ステップと、
適合した場合には、受信した前記コンテンツを表示する表示ステップと、
を含むことを特徴とするコンテンツ配信方法。
【請求項７】
コンテンツ配信サーバと、携帯端末とが、ネットワークを介して接続されたコンテンツ配信システムのプログラムであって、
前記コンテンツ配信サーバに、
コンテンツを配信したいエリア情報と、当該コンテンツを表示するか否かに関するタグ情報と、前記コンテンツと、を対応させて記憶する記憶ステップと、
前記携帯端末から送信された前記位置情報を受信する受信ステップと、
前記携帯端末から受信した前記位置情報が、記憶している前記エリア情報に含まれるか否かを判断する判断ステップと、
前記エリア情報に含まれる場合には、前記エリア情報に対応する前記タグ情報及び前記コンテンツを、前記携帯端末へ配信する配信ステップと、
を実行させるためのプログラムと、
前記携帯端末に、
前記コンテンツを配信する配信側から求められたユーザ情報を記憶する記憶ステップと、
前記位置情報を前記コンテンツ配信サーバへ送信するとともに、前記タグ情報及び前記コンテンツを前記コンテンツ配信サーバから受信する送受信ステップと、
受信した前記タグ情報が、記憶している前記ユーザ情報と適合するか否かを判断する判断ステップと、
適合した場合には、受信した前記コンテンツを表示する表示ステップと、
を実行させるためのプログラムと、
を含むことを特徴とするコンテンツ配信システムのプログラム。
【発明の詳細な説明】
【技術分野】
【０００１】
本発明は、携帯端末を用いたコンテンツ配信システム等に関するものである。
【背景技術】
【０００２】
近年、携帯電話から発信される電波から自動的に位置情報を得て、携帯電話の持ち主の現在地を認識し、それぞれの持ち主が希望する地域の情報発信および情報受信を制御する情報発信装置が提供されている。
【０００３】
また、特許文献１では、位置情報を認識した上で、地域限定の情報発信および情報受信を制御する情報発信装置が開示されている。
【０００４】
特許文献２では、ユーザ自身が撮影した静止画データや映像データを、ユーザが簡単にテンプレートを使って、一つのコンテンツとして生成し、それを一般公開できるコンテンツ配信システムが開示されている。
【先行技術文献】
【特許文献】
【０００５】
【特許文献１】特許第４４１９３０７号
【特許文献２】特開２００９−１４６０６６号公報
【発明の概要】
【発明が解決しようとする課題】
【０００６】
しかしながら、上記の方法では、コンテンツは指定された地域にいるすべての利用者に配信される、または、配信するコンテンツの公開する地域が限定できない、という問題点があった。
【０００７】
本発明は、前述した問題点に鑑みてなされたものであり、その目的とすることは、配信サーバの処理負荷を抑えながら、ユーザの位置情報や嗜好に応じて、タイムリーなコンテンツ等を配信することである。
【課題を解決するための手段】
【０００８】
前述した目的を達成するために第１の発明は、コンテンツ配信サーバと、携帯端末とが、ネットワークを介して接続されたコンテンツ配信システムであって、前記コンテンツ配信サーバは、コンテンツを配信したいエリア情報と、当該コンテンツを表示するか否かに関するタグ情報と、前記コンテンツとを対応させて記憶する記憶手段と、前記携帯端末から送信された前記位置情報を受信する受信手段と、前記携帯端末から受信した前記位置情報が、記憶している前記エリア情報に含まれるか否かを判断する判断手段と、前記エリア情報に含まれる場合には、前記エリア情報に対応する前記タグ情報及び前記コンテンツを、前記携帯端末へ配信する配信手段と、を備え、前記携帯端末は、前記コンテンツを配信する配信側から求められたユーザ情報を記憶する記憶手段と、前記位置情報を前記コンテンツ配信サーバへ送信するとともに、前記タグ情報及び前記コンテンツを前記コンテンツ配信サーバから受信する送受信手段と、受信した前記タグ情報が、記憶している前記ユーザ情報と適合するか否かを判断する判断手段と、適合した場合には、受信した前記コンテンツを表示する表示手段と、を備えることを特徴とするコンテンツ配信システムである。第１の発明によって、携帯端末が位置情報をコンテンツ配信サーバへ送信することにより、携帯端末はユーザ情報と適合したコンテンツを受信することができる。
【０００９】
前記コンテンツ配信サーバに記憶する前記タグ情報は、少なくとも、客層と、嗜好と、表示期限と、を含み、前記携帯端末に記憶する前記ユーザ情報は、少なくとも、ユーザの属性と、嗜好と、を含むことが望ましい。
これによって、それぞれのユーザは、タグ情報と位置情報が適合したコンテンツのみを受信できる。
【００１０】
前記携帯端末は、前記コンテンツの配信を希望する前記エリア情報を、前記コンテンツ配信サーバへ送信し、前記コンテンツ配信サーバの記憶手段は、さらに、受信した配信希望する前記エリア情報を記憶する。
これによって、携帯端末から送信された位置情報に適合したコンテンツだけではなく、あらかじめ配信を希望するエリア情報のコンテンツも受信できる。
【００１１】
前記コンテンツ配信システムは、さらに、前記ネットワークを介して接続された店舗用端末を備え、前記店舗用端末は、前記エリア情報と、前記タグ情報と、前記コンテンツと、を前記コンテンツ配信サーバへ送信する。前記コンテンツは、店舗の広告情報である。
これによって、店舗は、配信希望するコンテンツを提供できる。
【００１２】
第２の発明は、コンテンツ配信サーバと、携帯端末とが、ネットワークを介して接続されたコンテンツ配信方法であって、前記コンテンツ配信サーバは、コンテンツを配信したいエリア情報と、当該コンテンツを表示するか否かに関するタグ情報と、前記コンテンツとを対応させて記憶する記憶ステップと、前記携帯端末から送信された前記位置情報を受信する受信ステップと、前記携帯端末から受信した前記位置情報が、記憶している前記エリア情報に含まれるか否かを判断する判断ステップと、前記エリア情報に含まれる場合には、前記エリア情報に対応する前記タグ情報及び前記コンテンツを、前記携帯端末へ配信する配信ステップと、を含み、前記携帯端末は、前記コンテンツを配信する配信側から求められたユーザ情報を記憶する記憶ステップと、前記位置情報を前記コンテンツ配信サーバへ送信するとともに、前記タグ情報及び前記コンテンツを前記コンテンツ配信サーバから受信する送受信ステップと、受信した前記タグ情報が、記憶している前記ユーザ情報と適合するか否かを判断する判断ステップと、適合した場合には、受信した前記コンテンツを表示する表示ステップと、を含むことを特徴とするコンテンツ配信方法である。第２の発明によって、携帯端末が位置情報をコンテンツ配信サーバへ送信することにより、携帯端末はユーザ情報と適合したコンテンツを受信することができる。
【００１３】
第３の発明は、コンテンツ配信サーバと、携帯端末とが、ネットワークを介して接続されたコンテンツ配信システムのプログラムであって、前記コンテンツ配信サーバに、コンテンツを配信したいエリア情報と、当該コンテンツを表示するか否かに関するタグ情報と、前記コンテンツとを対応させて記憶する記憶ステップと、前記携帯端末から送信された前記位置情報を受信する受信ステップと、前記携帯端末から受信した前記位置情報が、記憶している前記エリア情報に含まれるか否かを判断する判断ステップと、前記エリア情報に含まれる場合には、前記エリア情報に対応する前記タグ情報及び前記コンテンツを、前記携帯端末へ配信する配信ステップと、を実行させるためのプログラムと、前記携帯端末に、前記コンテンツを配信する配信側から求められたユーザ情報を記憶する記憶ステップと、前記位置情報を前記コンテンツ配信サーバへ送信するとともに、前記タグ情報及び前記コンテンツを前記コンテンツ配信サーバから受信する送受信ステップと、受信した前記タグ情報が、記憶している前記ユーザ情報と適合するか否かを判断する判断ステップと、適合した場合には、受信した前記コンテンツを表示する表示ステップと、を実行させるためのプログラムと、を含むことを特徴とするコンテンツ配信システムのプログラムである。第３の発明によって、第１の発明のコンテンツ配信システムを得て、第２の発明のコンテンツ配信方法を実行することができる。
【発明の効果】
【００１４】
本発明によれば、コンテンツ配信サーバの処理負荷を抑えながら、ユーザの位置情報や嗜好に応じて、タイムリーなコンテンツ等を配信することができる。
【図面の簡単な説明】
【００１５】
【図１】コンテンツ配信システム１の概要を示す図
【図２】コンテンツ配信サーバ２のハードウェア構成を示す図
【図３】携帯端末３または店舗用端末６のハードウェア構成を示す図
【図４】店舗側が配信したいタグ情報４１を含んだコンテンツ４６を示す図
【図５】携帯端末３に配信されたコンテンツを示す図
【図６】コンテンツ配信システム１の処理の流れを示すフローチャート
【発明を実施するための形態】
【００１６】
以下図面に基づいて、本発明の実施形態を詳細に説明する。
図１は、コンテンツ配信システム１の概要を示す図である。
【００１７】
コンテンツ配信システム１は、コンテンツ配信サーバ２と、携帯端末３と、店舗用端末６と、がインターネット等のネットワーク４を介して接続されている。コンテンツ配信サーバ２は、店舗や企業等、あるいは、ＡＳＰ（Ａｐｐｌｉｃａｔｉｏｎ  Ｓｅｒｖｉｃｅ  Ｐｒｏｖｉｄｅｒ）に設置されるサーバである。
【００１８】
携帯端末３は、基地局（図示しない）を介してネットワーク４に接続し、コンテンツ配信サーバ２と通信する。
携帯端末３は、ネットワーク４に接続し、ユーザの位置情報５２をコンテンツ配信サーバ２へリアルタイムに送信するとともに、コンテンツ配信サーバ２からコンテンツを受信して表示する。
【００１９】
店舗用端末６は、基地局（図示しない）を介してネットワーク４に接続し、コンテンツ配信サーバ２と通信する。
店舗用端末６は、ネットワーク４に接続し、店舗側が情報発信したいコンテンツとエリア情報などのタグ情報４１を、コンテンツ配信サーバ２送信する。
【００２０】
図２は、コンテンツ配信サーバ２のハードウェア構成を示す図である。図２のハードウェア構成は一例であり、用途、目的に応じて様々な構成を採ることが可能である。
【００２１】
コンテンツ配信サーバ２は、制御部２１、記憶部２２、メディア入出力部２３、通信制御部２４、入力部２５、表示部２６、周辺機器Ｉ／Ｆ部１７等がバス２８を介して接続されて構成される。
【００２２】
制御部２１は、プログラムの実行を行うＣＰＵ（Ｃｅｎｔｒａｌ  Ｐｒｏｃｅｓｓｉｎｇ  Ｕｎｉｔ）と、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリから構成される。制御部２１は、コンテンツ配信サーバ２全体の動作を制御する。
【００２３】
記憶部２２は、ＨＤＤ（ハードディスクドライブ）であり、制御部２１が実行するプログラムや、プログラム実行に必要なデータ、ＯＳ（オペレーティング・システム）等が格納されている。これらのプログラムコードは、制御部２１により必要に応じて読み出されてＲＡＭに移され、ＣＰＵに読み出されて実行される。
【００２４】
メディア入出力部２３（ドライブ装置）は、データの入出力を行い、例えば、ＣＤドライブ（−ROM、−Ｒ、−ＲＷ等）、DVDドライブ（−ROM、−Ｒ、−ＲＷ等）等のメディア入出力装置を有する。
【００２５】
通信制御部２４は、通信制御装置、通信ポート等を有し、コンピュータとネットワーク４間の通信を媒介する通信インターフェイスであり、ネットワーク４を介して、他のコンピュータ間との通信制御を行う。
【００２６】
入力部２５は、データの入力を行い、例えば、キーボード、マウス等のポインティングデバイス、テンキー等の入力装置を有する。入力部２５を介して、コンピュータに対して、操作指示、動作指示、データ入力等を行うことができる。
【００２７】
表示部２６は、液晶パネル等のディスプレイ装置、ディスプレイ装置と連携してコンピュータのビデオ機能を実現するための論理回路等（ビデオアダプタ等）を有する。
【００２８】
周辺機器Ｉ／Ｆ部２７は、コンピュータに周辺機器を接続させるためのポートであり、周辺機器Ｉ／Ｆ部２７を介してコンピュータは周辺機器とのデータの送受信を行う。周辺機器Ｉ／Ｆ部２７は、USB（Universal Serial Bus）やIEEE（The Institute of Electrical and Electronics
Engineers）１３９４やＲＳ（Recommended Standard）−２３２Ｃ等で構成されており、通常複数の周辺機器Ｉ／Ｆを有する。周辺機器との接続形態は有線、無線を問わない。バス２８は、各装置間の制御信号、データ信号等の授受を媒介する経路である。
【００２９】
図３は、携帯端末３または店舗用端末６のハードウェア構成を示す図である。図３のハードウェア構成は一例であり、用途、目的に応じて様々な構成を採ることが可能である。また、店舗用端末６は、図２のハードウェア構成を持つことも可能である。
【００３０】
携帯端末３または店舗用端末６は、制御部３１、記憶部３２、通信制御部３３、入力部３４、表示部３５等がバス３６を介して接続されて構成される。
【００３１】
制御部３１は、プログラムの実行を行うＣＰＵと、ＯＳ、プログラム命令あるいはデータ等を格納するためのＲＯＭ、ＲＡＭ等のメモリから構成される。制御部３１は、携帯端末３または店舗用端末６全体の動作を制御する。
【００３２】
記憶部３２は、フラッシュメモリ等であり、制御部３１が実行するプログラムや、プログラム実行に必要なデータ、ＯＳ等が格納されている。これらのプログラムコードは、制御部３１により必要に応じて読み出されてＲＡＭに移され、ＣＰＵに読み出されて実行される。
【００３３】
通信制御部３３は、通信制御装置、通信ポート等を有し、携帯端末３または店舗用端末６とネットワーク４間の通信を媒介する通信インターフェイスであり、ネットワーク４を介して、他のコンピュータまたは携帯端末間との通信制御を行う。
【００３４】
入力部３４は、数字や文字、操作指示を入力するためのタッチパネルまたはキーボタン等を有し、タッチパネルまたはキーボタンの操作に応じた信号を制御部３１に出力する。
表示部３５は、液晶表示パネル等を有し、表示制御を行う。
【００３５】
図４は、店舗用端末６から配信したいタグ情報４１を含んだコンテンツ４６を示す図である。
店舗側の店員等は、店舗用端末６にダウンロードした店舗用のアプリケーション等を用いて、配信したい店舗のアピール情報(広告情報)等のコンテンツ４６を入力する。
例えば、このコンテンツ４６は、「本日に限り、入店のお客様１名につき、手羽先５本無料プレゼント」等である。
【００３６】
コンテンツ４６と対応付けたタグ情報４１として、配信エリア４２、客層４３、嗜好４４、表示期限４５等も入力する。
例えば、配信エリア４２は「五反田」、客層４３は「２０代女性」、嗜好４４は「和食、焼き鳥」、表示期限４５は「今日」等と入力する。
【００３７】
配信エリア４２はコンテンツ４６を配信したい地域である。客層４３はコンテンツ４６を配信したい年齢の範囲である。嗜好４４は配信するコンテンツ４６の料理の種類等である。表示期限４５は配信したコンテンツ４６を携帯端末３に表示する期限である。
【００３８】
表示期限４５が過ぎているコンテンツ４６は、携帯端末３には表示させず、携帯端末３から自動的に削除させる。
【００３９】
図５は、携帯端末３に配信されたコンテンツを示す図である。
ユーザは、携帯端末３にダウンロードしたユーザ用のアプリケーション等を用いて、事前に、ユーザ情報５１を登録する。
【００４０】
ユーザ情報５１には、ユーザ自身の属性５３、嗜好５４等を入力する。
ユーザ自身の属性５３、嗜好５４等の情報は、コンテンツ配信サーバ２へは送信せずに、携帯端末３内に登録する。
【００４１】
例えば、属性５３は「２０代女性」、嗜好５４は「和食、または、焼き鳥」等と入力する。
属性５３はユーザが入力する年齢の範囲であり、嗜好５４はユーザが配信希望するコンテンツ４６の料理の種類等である。
【００４２】
ユーザの位置情報５２は、コンテンツ配信サーバ２へ送信される。
例えば、位置情報５２は「五反田エリア」等と登録される。
ユーザは、携帯端末３を用いて、事前に、コンテンツ４６の配信を希望するエリア情報や郵便番号等を、コンテンツ配信サーバ２へ登録することもできる。
【００４３】
位置情報５２は、携帯端末３のユーザの現在地である。
また、位置情報５２は、携帯端末３の備えるＧＰＳから取得してもよい。
【００４４】
店舗側から配信されたコンテンツ４６は、店舗側から配信されたタグ情報４１とユーザ情報５１が合致した場合に、表示される。
例えば、コンテンツ４６は、「本日に限り、入店のお客様1名につき、手羽先５本無料プレゼント」等と表示される。
【００４５】
次に、図６を参照しながら、本発明の実施の形態における処理の詳細について説明する。
図６は、コンテンツ配信システム１の処理の流れを示すフローチャートである。
図６は、コンテンツ配信システム１によって携帯端末３に配信されるコンテンツ配信処理を示している。
【００４６】
ステップＳ１において、店舗用端末６の制御部３１は、コンテンツ４６と、配信エリア４２、客層４３、嗜好４４、および表示期限４５等のタグ情報４１と、をサーバに送信する処理を実行する。
ステップＳ２において、コンテンツ配信サーバ２の制御部２１は、店舗用端末６から送信された、コンテンツ４６とタグ情報４１と、を受信するとともに記憶する処理を実行する。
【００４７】
ステップＳ３において、携帯端末３の制御部３１は、ユーザによって入力されたユーザの属性５３、嗜好５４等のユーザ情報５１を登録する処理を実行する。
【００４８】
ステップＳ４において、携帯端末３の制御部３１は、ユーザの位置情報５２をサーバに送信する処理を実行する。
位置情報５２は、ＧＰＳから取得した位置情報、または、ユーザがコンテンツの配信を希望するエリア情報等である。
ステップＳ５において、コンテンツ配信サーバ２の制御部２１は、ユーザの携帯端末３から送信されたユーザの位置情報５２を受信する処理を実行する。
【００４９】
ステップＳ６において、コンテンツ配信サーバ２の制御部２１は、ステップＳ２において受信した、店舗側の配信エリア４２情報と、ステップＳ５において受信した、ユーザの位置情報５２を照合する処理を実行する。
【００５０】
ステップＳ７において、コンテンツ配信サーバ２の制御部２１は、配信エリア４２情報と位置情報５２が一致する(または含まれる)場合は、店舗側が配信したコンテンツ４６とタグ情報４１と、を配信する処理を実行する。
【００５１】
ステップＳ８において、コンテンツ配信サーバ２の制御部２１は、配信エリア４２情報と位置情報５２が一致しない場合は、店舗側が配信したコンテンツ４６とタグ情報４１と、を配信しない。
【００５２】
ステップＳ９において、携帯端末３の制御部３１は、コンテンツ配信サーバ２からコンテンツ４６とタグ情報４１と、を受信する処理を実行する。
【００５３】
ステップＳ１０において、携帯端末３の制御部３１は、コンテンツ４６に紐づけられたタグ情報４１を取得し、あらかじめ登録しておいたユーザ情報５１に適合するか否か判断する処理を実行する。
【００５４】
ステップＳ１０において適合した場合には、ステップＳ１１において、携帯端末３の制御部３１は、コンテンツ４６を表示する。
【００５５】
コンテンツ４６に紐づけられたタグ情報４１とユーザ情報５１の情報の一部が適合した場合にも、コンテンツ４６は表示する。
例えば、客層４３と属性５３は「２０代女性」で一致するが、店舗側が配信した嗜好４４とユーザが入力した嗜好５４が一致しない場合でも表示してよい。
【００５６】
ただし、一部が適合した場合に表示するコンテンツ４６は、コンテンツ４６に紐づけられたタグ情報４１とユーザ情報５１の情報が全て適合した場合に表示するコンテンツ４６より、下の位置に表示する。
【００５７】
ステップＳ１０において、コンテンツ４６に紐づけられたタグ情報４１とユーザ情報５１が一致しなかった場合には、Ｓ１２においてコンテンツ４６は表示しない。
【００５８】
以上のようにして、コンテンツ配信サーバ２では、店舗側の配信したい配信エリア４２情報とユーザの位置情報５２を用いて、コンテンツ４６を配信するか否かを判断するので、コンテンツ配信サーバ２の負荷を抑えながら、携帯端末３にコンテンツを配信することが可能となる。
【００５９】
以上、添付図面を参照しながら、本発明に係るコンテンツ配信システム１等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６０】
１………  コンテンツ配信システム
２………  コンテンツ配信サーバ
３………  携帯端末
４………  ネットワーク
５２………  位置情報
６………  店舗用端末
４１………  タグ情報
４６………  コンテンツ
【図１】
2014067115.tif 000003
【図２】
2014067115.tif 000004
【図３】
2014067115.tif 000005
【図４】
2014067115.tif 000006
【図５】
2014067115.tif 000007
【図６】
2014067115.tif 000008